(57)【要約】【課題】本発明は、携帯電話及び携帯電話の周辺機器の改良に関する発明である。【解決手段】本発明は、上記の課題を解決するために、表面にはスピーカー、画面、複数のボタン及び話口を設け、上面にはアンテナを格納し、側面には接続口及び不揮発性メモリ差込口を設け、背面には着脱可能な電池パックを設け、内部には取り替え可能なＣＰＵ及びメモリと前記不揮発性メモリ差込口より取り出し及び書き込み可能な不揮発性メモリを内蔵したことを特徴とするデータ互換性のある携帯電話の構成とした。【選択図】  図２
2004297679.tif 000002
【特許請求の範囲】
【請求項１】
表面にはスピーカー、画面、複数のボタン及び話口を設け、上面にはアンテナを格納し、側面には接続口及び不揮発性メモリ差込口を設け、背面には着脱可能な電池パックを設け、内部には取り替え可能なＣＰＵ及びメモリと前記不揮発性メモリ差込口より取り出し及び書き込み可能な不揮発性メモリを内蔵したことを特徴とするデータ互換性のある携帯電話。
【請求項２】
接続コードまたは通信のいずれかを使用してモニタと接続でき、携帯電話内のデータをモニタを介して見ることが出来、且つ携帯電話より操作、加工することが出来ることを特徴とする請求項１に記載のデータ互換性のある携帯電話。
【請求項３】
接続コードまたは通信のいずれかを使用して外部ドライブと接続し携帯電話のボタン操作で携帯電話のデータを外部ドライブとやり取りできることを特徴とする請求項１に記載のデータ互換性のある携帯電話。
【請求項４】
接続コードまたは通信のいずれかを使用してプリンタと接続し携帯電話のボタン操作で携帯電話内のデータをプリンタから出力できることを特徴とする請求項１に記載のデータ互換性のある携帯電話。
【請求項５】
接続コードまたは通信のいずれかを使用してパソコンと接続し携帯電話内のデータをパソコンで加工することができることを特徴とする請求項１に記載のデータ互換性のある携帯電話。
【請求項６】
携帯電話の機種を変更することなく契約する通信会社を変更することができる請求項１に記載のデータ互換性のある携帯電話。
【請求項７】
携帯電話よりインターネットに接続するためのプロバイダ契約を自由に変更できることを特徴とする請求項１に記載のデータ互換性のある携帯電話。
【請求項８】
携帯電話に取り付けたレンズによりプロジェクター機能を有した請求項１、請求項２、請求項３、請求項４、請求項５、請求項６、請求項７又は請求項８に記載のデータ互換性のある携帯電話。
【請求項９】
プロバイダーを介せずにインターネットへ接続する機能を有することを特徴とする携帯電話。
【発明の詳細な説明】
【０００１】
【発明が属する技術分野】
本発明は、携帯電話及び携帯電話の周辺機器の改良に関する発明である。
【０００２】
【従来の技術】
従来から存在する携帯電話は、電話を掛けたり受けたり、電子メールを送受信したり、インターネットへアクセスしたり、写真、動画を撮ったりすることができる携帯電話であった。
【０００３】
【発明が解決しようとする課題】
しかしながら、従来の携帯電話では、図１６に示したように契約会社を変更する場合は、例えば、元々通信会社Ａ１２で使用していた携帯電話１１を別の通信会社Ｂ１２ａで使用することはできず、携帯電話を買い替えなければならなかった。その上、携帯電話を変える際に元の携帯電話に入っているデータを入れ直したり、データをコピーしても正しくコピーされないなどの問題があった。
【０００４】
また、図１７に示すようにインターネット１４へアクセスする際に必要なプロバイダ契約も携帯電話通信会社毎に決まっており、或る通信会社のプロバイダＤ１８から他の通信会社のプロバイダＥ１９に変更したい場合には携帯電話１１を買い替え、契約をし直さなければならなかった。そのため、パソコンのようにユーザーがプロバイダを選ぶことが出来ず、アクセスするための料金が高くても諦めなければならなかった。
【０００５】
そこで、本発明は、携帯電話を変更することなく契約する通信会社を変更でき、またインターネットへ接続するために必要なプロバイダ契約も好きなところと契約できるデータ互換性のある携帯電話を提供することを目的とするものである。
【０００６】
【課題を解決するための手段】
本発明は、上記の課題を解決するために、表面にはスピーカー、画面、複数のボタン及び話口を設け、上面にはアンテナを格納し、側面には接続口及び不揮発性メモリ差込口を設け、背面には着脱可能な電池パックを設け、内部には取り替え可能なＣＰＵ及びメモリと前記不揮発性メモリ差込口より取り出し及び書き込み可能な不揮発性メモリを内蔵したことを特徴とするデータ互換性のある携帯電話の構成とした。
【０００７】
【実施例】
以下に、添付図面に基づいて本発明であるデータ互換性のある携帯電話を詳細に説明する。まず、図１から図１３を使用して本発明であるデータ互換性のある携帯電話の構造及び周辺機器との接続方法を説明することとする。図１は本発明であるデータ互換性のある携帯電話の正面図、図２は内部を示した正面図、図３は右側面図である。
【０００８】
図１に示すように、本発明であるデータ互換性のある携帯電話１は、本体１ａ表面の上部に通話時の相手の声が聞こえるスピーカー１ｄがあり、その下に画面１ｂ、数字や絵記号が描かれた複数のボタン１ｃ、１ｃ、１ｃ・・・が備えられており、表面最下端には通話するための話口１ｅがある。
【０００９】
また、本体１ａの上面には、格納式のアンテナ１ｆが備えられている。尚、アンテナ１ｆは格納式でなくても良く、伸縮性のあるものであっても、固定式のものであっても良いものとし、設置する場所も特に限定されたものではない。
【００１０】
更に、前記スピーカー１ｄ、画面１ｂ、ボタン１ｃ、１ｃ、１ｃ・・・、話口１ｅ等の配置場所も特に限定していない。
【００１１】
図２に示すように、本発明であるデータ互換性のある携帯電話１は、内部に取り外し及び取り替え可能なＣＰＵ１ｇ、メモリ１ｈを内蔵し、着脱可能且つ書き換え可能な不揮発性メモリ１ｉ等を備えている。
【００１２】
前記ＣＰＵ１ｇは他の携帯電話のＣＰＵ２等と取り替えることができ、また前記メモリ１ｈは他のメモリ３と取り替えることができ、前記不揮発性メモリ１ｉの場所には他の不揮発性メモリ４を差し込むことが出来る。
【００１３】
図３に示すように、本発明であるデータ互換性のある携帯電話１の右側面には周辺機器等と接続するためのコードを差し込むために使用する接続口１ｊが付いており、また前記不揮発性メモリを差し込むための不揮発性メモリ差込口１ｋが備えてある。
【００１４】
着脱可能な電池パック１ｌは、データ互換性のある携帯電話１の背面に備えられている。尚、前記接続口１ｊ、不揮発性メモリ差込口１ｋは、右側面に設置することに限定したものではなく、デザイン性や操作性を鑑みて左側面や他の場所に設置してもよいものとする。
【００１５】
図４から図１２は本発明であるデータ互換性のある携帯電話に各種周辺機器を接続した状態を示す図である。図４は、本発明であるデータ互換性のある携帯電話１とモニタ５を接続した状態を示している。
【００１６】
図４は、本発明であるデータ互換性のある携帯電話をモニタに接続した状態を示した図である。接続コード６のコード６ｂの一端にある接続端子６ａを前記接続口１ｊに差込み、もう一端のプラグ６ｃとモニタ５より伸びているプラグ５ｆと接続する。プラグ５ｆのついたコード５ｅはモニタ本体５ａの接続口５ｄにつながっている。尚、モニタ５ａには画面５ｂ、スイッチ５ｃが付いている。
【００１７】
図４に示すようにデータ互換性のある携帯電話１とモニタ５を接続することで、前記データ互換性のある携帯電話１内のデータをモニタ５上で拡大して見ることが出来、データ互換性のある携帯電話１のボタン操作でモニタ５を見ながら編集、加工ができる。
【００１８】
図５は、  本発明であるデータ互換性のある携帯電話とモニタを電波を使用してデータを互換している状態を示す図である。図５に示すように、電波を受信できるアンテナ５ｈを持つ電波受信器５ｇを使用することで、データ互換性のある携帯電話１とモニタ５をワイヤレスで接続し、データ互換性のある携帯電話１のデータをモニタ５に送り、拡大して見ることができる。
【００１９】
また、モニタ５に写したデータを前記データ互換性のある携帯電話１のボタン操作により、編集や加工ができる。尚、モニタ５に使用している電波受信器５ｇ及びアンテナ５ｈの形状、設置場所等は限定したものではなく、また、モニタ５外部への取付型でも内蔵型でも良いこととする。
【００２０】
図６は、本発明であるデータ互換性のある携帯電話と外部ドライブを接続した状態を示している。データ互換性のある携帯電話１と外部ドライブ７の接続には先ず、前記接続口１ｊに接続端子６ｄを差込みコード６ｅのもう一端にあるプラグ６ｆをドライブ本体７ａの接続口７ｂより伸びているコード７ｃの先端にあるプラグ７ｄと接続する。
【００２１】
図６に示すように、データ互換性のある携帯電話１を外部ドライブ７と接続することで、外部ドライブ７が読み込んだＣＤ−ＲＯＭ等のデータを前記データ互換性のある携帯電話１にインストールすることができる。
【００２２】
図７は、本発明であるデータ互換性のある携帯電話と外部ドライブを電波を使用してデータを互換している状態を示す図である。図７に示すように、電波を受信できるアンテナ７ｆを持つ電波受信器７ｅを使用することで、データ互換性のある携帯電話１と外部ドライブ７をワイヤレスで接続し、外部ドライブ７が読み込んだデータをデータ互換性のある携帯電話１で操作し、データを編集したり加工したりすることができる。
【００２３】
尚、外部ドライブ７に外付けとしたアンテナ７ｆを持つ電波受信器７ｅは、外付けに限定したものではなく、外部ドライブ７に内蔵型としてもよい。
【００２４】
図８は、本発明であるデータ互換性のある携帯電話をプリンタに接続した状態を示す図である。データ互換性のある携帯電話１とプリンタ８の接続には先ず、前記接続口１ｊに接続端子６ｇを差込みコード６ｈのもう一端にあるプラグ６ｉをプリンタ本体８ａの接続口８ｃより伸びているコード８ｄのもう一端にあるプラグ８ｅと接続する。尚、プリンタ本体８ａにある符号８ｂは用紙の取出口を示している。
【００２５】
データ互換性のある携帯電話１とプリンタ８を接続することで、データ互換性のある携帯電話１内のデータをプリンタ８で出力することができる。
【００２６】
図９は、本発明であるデータ互換性のある携帯電話とプリンタを電波を使用して接続した状態を示す図である。図９に示すように、電波を受信できるアンテナ８ｇをもつ電波受信器８ｆを使用することで、データ互換性のある携帯電話１とプリンタ８をワイヤレスで接続し、前記データ互換性のある携帯電話１内にあるデータをプリンタ８で出力できる。
【００２７】
尚、プリンタ８に外付けとしたアンテナ８ｇをもつ電波受信器８ｆは、プリンタ８の外付けに限定したものではなく、内蔵型としても良いこととする。
【００２８】
図１０は、本発明であるデータ互換性のある携帯電話をパソコンに接続した状態を示す図である。  パソコン９はパソコン本体９ａとモニタ９ｂとからなり、パソコン本体９ａにはＣＤドライブ９ｃ、ＦＤドライブ９ｄ、ＵＳＢポート９ｅ、９ｅ等がある。
【００２９】
前記データ互換性のある携帯電話１とパソコン９との接続には先ず、前記接続口１ｊに接続端子６ｊを差込み、コード６ｋのもう一端にあるプラグ６ｌをプラグ９ｈに接続する。
【００３０】
コード９ｇのもう一端のＵＳＢ端子９ｆは、パソコン本体９ａのＵＳＢポート９ｅに接続する。尚、接続方法はＵＳＢポート９ｅを使用する接続方法に限定したものではなく、パラレル等の他の接続方法でも良いものとする。
【００３１】
前記データ互換性のある携帯電話１をパソコン９に接続することで、前記データ互換性のある携帯電話１内のデータをパソコン９に移し、パソコン上で加工編集したり、パソコン９内にあるデータをデータ互換性のある携帯電話１に取り込んで加工編集したりすることが出来る。
【００３２】
また、パソコン９のＣＤドライブ９ｄが読み込んだ各種ソフトウェアを前記データ互換性のある携帯電話１にインストールすることができるようになる。
【００３３】
図１１は、本発明であるデータ互換性のある携帯電話とパソコンを電波を使用して接続した状態を示す図である。図１１に示すように、電波を受信できるアンテナ９ｋを持つ電波受信器９ｊを使用することで、データ互換性のある携帯電話１とパソコン９をワイヤレスで接続し、前記データ互換性のある携帯電話１とデータを互換することができる。
【００３４】
尚、パソコン９に外付けとしたアンテナ９ｋを持つ電波受信器９ｊは、パソコン９の外付けに限定したものではなく、内蔵型としても良いこととする。尚、符号９ｉは、キーボードを示している。
【００３５】
図１２は、本発明であるデータ互換性のある携帯電話内の不揮発性メモリを取り出しパソコンに取り込んでいる状態を示す図である。前記データ互換性のある携帯電話１とパソコン９を直接接続する方法が出来ない場合などには、不揮発性メモリ１ｉを読み込むことができる不揮発性メモリリーダー１０を使用してパソコン９とデータ互換性のある携帯電話１のデータを互換することができる。
【００３６】
パソコン本体９ａと不揮発性メモリリーダー１０の本体１０ａをＵＳＢ等の接続方法で接続し、データ互換性のある携帯電話１から取り出した不揮発性メモリ１ｉを前記不揮発性メモリリーダー１０に差し込む。この方法により、不揮発性メモリ１ｉ内に保存したデータをパソコン９に取り込むことが出来る。
【００３７】
また、逆にパソコン９で編集加工したデータを不揮発性メモリ１ｉに保存し、前記不揮発性メモリ１ｉをデータ互換性のある携帯電話１に戻すことで、パソコン９で使用したデータをデータ互換性のある携帯電話１で使用することができる。尚、符号１０ｂは、コードを示し、符号１０ｃはプラグを示している。
【００３８】
図１３は、本発明であるデータ互換性のある携帯電話のプロジェクタ機能を使用した状態を示す図である。データ互換性のある携帯電話１の上部にプロジェクタ機能を持つレンズ１ｍを付けた。
【００３９】
これにより、データ互換性のある携帯電話１の周辺に前記、モニタ５、プリンタ８、パソコン９などの出力機器がない場合に壁１５などを利用して、データ互換性のある携帯電話１内のデータを拡大して映し出すことが出来る。尚、符号１５ａは、拡大画像を示している。
【００４０】
図１４は、本発明であるデータ互換性のある携帯電話をプロバイダを変更しインターネットに接続した状態を示す図である。本発明であるデータ互換性のある携帯電話１は、契約プロバイダを変更できることができる。
【００４１】
図１４に示すように、携帯電話を変更することなく、初期契約時のプロバイダＡ１３を解約し、別のプロバイダＣ１６へ新規契約することが出来る。そのため現在契約しているプロバイダよりも料金が安い別のプロバイダやサービスの良いプロバイダが見つかった場合に、携帯電話の番号を変えたり、携帯電話変更による新たなボタン操作を覚える手間が省くことが出来る。
【００４２】
また、携帯電話利用者が気軽にプロバイダを変更できるようになると、プロバイダ側で価格競争やサービス合戦が始まり、利用者としてはもっと気軽に携帯電話を持つことが出来るようになる。
【００４３】
その上、本発明であるデータ互換性のある携帯電話１は、インターネット電話に対応できるため、プロバイダ側が携帯電話のインターネット電話に対応するサービスを提供するようになれば、元々無料に近いインターネット電話での携帯電話利用に利用者が集まるようになり、プロバイダの価格競争は激化し、更に安価で携帯電話が利用できるようになる。
【００４４】
以上のように、初期契約でインターネット電話に対応していなかったプロバイダＡ１３と契約をしていたデータ互換性のある携帯電話１は、インターネット電話に対応しているプロバイダＣ１６に契約を変えることで、インターネット電話に対応しているプロバイダＣ１６と契約をしていた携帯電話１７と、インターネット電話とういうほぼ無料通話に近い金額で会話をすることが出来る。
【００４５】
図１５は、本発明であるデータ互換性のある携帯電話がプロバイダを介せずにインターネットへ接続した状態を示す図である。本発明であるデータ互換性のある携帯電話１のソフト等のインストールすることができる機能を利用して、プロバイダ等を介せずにインターネットへ接続できるソフトを使用すれば、プロバイダを介せずにインターネット１４へ接続することが出来る。
【００４６】
図１６は、本発明であるデータ互換性のある携帯電話の通信会社を変更している状態を示した図である。本発明であるデータ互換性のある携帯電話１は、前述のプロバイダ変更のように、通信会社を変更することも出来る。
【００４７】
データ互換性のある携帯電話１は、初期契約において通信会社Ａ１２と契約してるが、後に使用している携帯電話を変えることなく別の通信会社Ｂ１２ａと新規契約をすることが出来る。
【００４８】
同じ携帯電話で契約する通信会社を変更できる機能により、通信会社間では価格競争やサービス提供の競争に拍車がかかり、利用者としては更に安価に携帯電話を利用出来るようになる。
【００４９】
次に、図１から図１７を使用して、本発明であるデータ互換性のある携帯電話の使用方法を説明することとする。データ互換性のある携帯電話１は、図２に示したように、ＣＰＵ１ｇ及びメモリ１ｈを搭載しているため起動をＯＳによるものとした。
【００５０】
使用するＯＳについては、ＷＩＮＤＯＷＳ（登録商標）やＭａｃＯＳなどに代表される世界的に最も普及しているＯＳを使用するものとしたが、これは特にＷＩＮＤＯＷＳ（登録商標）やＭａｃＯＳだけに限定されるものではなく、それに変わって新たに普及したＯＳを使用することもありうる。
【００５１】
使用するＯＳにより各通信会社間でデータの共有が出来る場合、容易に取り外し可能な不揮発性メモリ１ｉにデータを保存し、他の携帯電話に前記不揮発性メモリ１ｉを差し込んでデータを共有する。
【００５２】
使用するＯＳが共有出来なかった場合、他社のＯＳを使用して作成された情報データの配列を自動変換して読み取ることが可能となるソフトウェアをデータ互換性のある携帯電話１にインストールすれば、データが共有できる。
【００５３】
自動変換するソフトウェアをインストールするための方法は、図２に示したように別のメモリ３にソフトウェアを入れ、メモリ１ｈと交換してインストールする方法や、図６及び図７に示したように外部ドライバ７とデータ互換性のある携帯電話１を接続してインストールする方法とインターネットよりダウンロードしてインストールする方法がある。以上の方法のいずれかで他社のＯＳで作成したが共有できない情報データを共有することができる。
【００５４】
また、それでも通信会社間での規格統一等の問題によりＯＳに互換性を持たせることが出来なかった場合は、自動変換のソフトウェアではなく異なるＯＳをインストールすることで、他の通信会社のシステムを使用することが出来る。
【００５５】
このＯＳ毎インストールする方法と同時に前記ＣＰＵ１ｇ及びメモリ１ｈを交換することで、携帯電話を買い替えずに他社のシステムへ変更できるため図１６に示すように初期契約時とは違う通信会社との契約をして使用することが出来る。また、図１７に示すようにインターネット接続に必要なプロバイダを変更することも可能である。
【００５６】
ＯＳのインストールを可能とすることにより、本発明であるデータ互換性のある携帯電話１は、ソフトのインストールを可能としているため、例えばワープロソフトや表計算ソフト、画像編集、プレゼンテーション用の各種ソフトをＯＳをインストールする方法と同様の方法でインストールすることが出来る。
【００５７】
そのため電子メールなどに添付された資料を開くために、その資料を作成したソフトウェアや互換性のあるソフトウェアをインストールすることでその添付資料を確認することができる。
【００５８】
但し、データ互換性のある携帯電話１では小型液晶画面であるため画面１ｂがパソコンに比べて小さく解像度も悪いため、ワークシートベースのような大きいデータでは見にくいことがある。
【００５９】
そこで、図４、図５に示したようにモニタ５を直接及びワイヤレス接続してデータを確認したり、図、図９に示したようにプリンタ８を接続してデータをプリントアウトして確認したり、図１０、図１１に示したようにパソコン９に繋いでパソコン９上で確認したり、図１２に示したように容易に取り外しが出来る不揮発性メモリ１ｉに保存し、それをパソコン９に接続した不揮発性メモリリーダー１０からパソコン９に取り込み確認したり、図１３に示したようにプロジェクタ機能を使用し、壁１５などに拡大映像１５ａを写すなどの方法をとることができる。
【００６０】
【発明の効果】
本発明は、以上に述べた構成であるから、携帯電話を変更することなく契約する通信会社を変更できる。
【００６１】
また、インターネットへ接続するために必要なプロバイダ契約も好きなところと契約できるデータ互換性のある携帯電話を提供することができる。
【図面の簡単な説明】
【図１】本発明であるデータ互換性のある携帯電話の正面図である。
【図２】本発明であるデータ互換性のある携帯電話の内部を示した正面図である。
【図３】本発明であるデータ互換性のある携帯電話の右側面図である。
【図４】本発明であるデータ互換性のある携帯電話をモニタに接続した状態を示した図である。
【図５】本発明であるデータ互換性のある携帯電話とモニタを電波を使用してデータを互換している状態を示す図である。
【図６】本発明であるデータ互換性のある携帯電話を外部ドライブに接続した状態を示す図である。
【図７】本発明であるデータ互換性のある携帯電話と外部ドライブを電波を使用してデータを互換している状態を示す図である。
【図８】本発明であるデータ互換性のある携帯電話をプリンタに接続した状態を示す図である。
【図９】本発明であるデータ互換性のある携帯電話とプリンタを電波を使用して接続した状態を示す図である。
【図１０】本発明であるデータ互換性のある携帯電話をパソコンに接続した状態を示す図である。
【図１１】本発明であるデータ互換性のある携帯電話とパソコンを電波を使用して接続した状態を示す図である。
【図１２】本発明であるデータ互換性のある携帯電話内の不揮発性メモリを取り出しパソコンに取り込んでいる状態を示す図である。
【図１３】本発明であるデータ互換性のある携帯電話のプロジェクタ機能を使用した状態を示す図である。
【図１４】本発明であるデータ互換性のある携帯電話をプロバイダ変更しインターネットに接続した状態を示す図である。
【図１５】本発明であるデータ互換性のある携帯電話をプロバイダーを介せずにインターネットへ接続した状態を示す図である。
【図１６】本発明であるデータ互換性のある携帯電話の通信会社を変更している状態を示した図である。
【図１７】本発明であるデータ互換性のある携帯電話のプロバイダを変更している状態を示す図である。
【符号の説明】
１          データ互換性のある携帯電話
１ａ        本体
１ｂ        画面
１ｃ        ボタン
１ｄ        スピーカー
１ｅ        話口
１ｆ        アンテナ
１ｇ        ＣＰＵ
１ｈ        メモリ
１ｉ        不揮発性メモリ
１ｊ        接続口
１ｋ        不揮発性メモリ差込口
１ｌ        電池パック
１ｍ        レンズ
２          ＣＰＵ
３          メモリ
４          不揮発性メモリ
５          モニタ
５ａ        モニタ本体
５ｂ        画面
５ｃ        スイッチ
５ｄ        接続口
５ｅ        コード
５ｆ        プラグ
５ｇ        電波受信器
５ｈ        アンテナ
６          接続コード
６ａ        接続端子
６ｂ        コード
６ｃ        プラグ
６ｄ        接続端子
６ｅ        コード
６ｆ        プラグ
６ｇ        接続端子
６ｈ        コード
６ｉ        プラグ
６ｊ        接続端子
６ｋ        コード
６ｌ        プラグ
７          外部ドライブ
７ａ        ドライブ本体
７ｂ        接続口
７ｃ        コード
７ｄ        プラグ
７ｅ        電波受信器
７ｆ        アンテナ
８          プリンタ
８ａ        プリンタ本体
８ｂ        取出口
８ｃ        接続口
８ｄ        コード
８ｅ        プラグ
８ｆ        電波受信器
８ｇ        アンテナ
９          パソコン
９ａ        パソコン本体
９ｂ        モニタ
９ｃ        ＣＤドライブ
９ｄ        ＦＤドライブ
９ｅ        ＵＳＢポート
９ｆ        ＵＳＢ端子
９ｇ        コード
９ｈ        プラグ
９ｉ        キーボード
９ｊ        電波受信器
９ｋ        アンテナ
１０          不揮発性メモリリーダー
１０ａ        本体
１０ｂ        コード
１０ｃ        プラグ
１１          従来の携帯電話
１２          通信会社Ａ
１２ａ        通信会社Ｂ
１３          プロバイダＡ
１３ａ        プロバイダＢ
１４          インターネット
１５          壁
１５ａ        拡大映像
１６          プロバイダＣ（インターネット電話対応）
１７          携帯電話
１８          プロバイダＤ
１９          プロバイダＥ
【図１】
2004297679.tif 000003
【図２】
2004297679.tif 000004
【図３】
2004297679.tif 000005
【図４】
2004297679.tif 000006
【図５】
2004297679.tif 000007
【図６】
2004297679.tif 000008
【図７】
2004297679.tif 000009
【図８】
2004297679.tif 000010
【図９】
2004297679.tif 000011
【図１０】
2004297679.tif 000012
【図１１】
2004297679.tif 000013
【図１２】
2004297679.tif 000014
【図１３】
2004297679.tif 000015
【図１４】
2004297679.tif 000016
【図１５】
2004297679.tif 000017
【図１６】
2004297679.tif 000018
【図１７】
2004297679.tif 000019